(57)【要約】【課題】ノズル及び押下げヘッドのカバー部材を紛失するおそれがなく、かつ簡単に使用できる、ノズルカバー付き押下げヘッド容器を提供する。【解決手段】シリンダ内から起立するステム１０の上端に押下げヘッド１２を付設した作動部材８と、口頸部４に嵌合させた装着筒１８の上端から上記ステム１０を囲む案内筒２２を起立する装着部材１６と、上記押下げヘッド１２の外面を摺動可能に嵌合され、ノズル挿通孔３４を筒壁３２に穿設した有頂のカバー筒部材３０とを有し、上記ノズル挿通孔３４は、平行な第１縦溝３４ａと第２縦溝３４ｂとこれら両溝を接続する連絡溝３４ｃとで形成し、第２縦溝３４ｂの上端部を少なくとも第２縦溝の下端部より上方に位置させるとともに、上記連絡溝３４ｃは、第１縦溝３４ａの下端部から、第１縦溝の下端部の位置以上の第２縦溝部分の何れかに連結した。【選択図】図１
2010052824.tif 000002
【特許請求の範囲】
【請求項１】
口頸部４を起立する容器体２と、
上記口頸部４から容器体２内に垂下したシリンダ６と、
シリンダ内から起立するステム１０の上端にノズル１４付き押下げヘッド１２を付設した作動部材８と、
上記口頸部４に嵌合させた装着筒１８の上端から上記ステム１０を囲む案内筒２２を起立する装着部材１６と、
上記押下げヘッド１２の外面を摺動可能に嵌合され、ノズル挿通孔３４を筒壁３２に穿設した有頂のカバー筒部材３０とからなり、
上記ノズル挿通孔３４は、相互に平行な第１縦溝３４ａと第２縦溝３４ｃとこれら両溝を接続する連絡溝３４ｂとで形成し、
第１縦溝３４ａの上端側の縁部分近傍からノズル１４の上面を覆うためのノズルカバー３６を外方突出し、
第２縦溝３４ｃの上端部を少なくとも第２縦溝の下端部より上方に位置させるとともに、第２縦溝３４ｃを第１縦溝３４ａの下端部より下方へ延長して、カバー筒部材３０の筒壁下端へ開口させ、
上記連絡溝３４ｂは、第１縦溝３４ａの下端部から、第１縦溝の下端部の位置以上の第２縦溝部分の何れかに連続させたことを特徴とする、ノズルカバー付き押下げヘッド容器。
【請求項２】
上記ノズル挿通孔３４は、上記第１縦溝３４ａの下端部から第２縦溝３４ｃの上下方向中間部へ水平な連絡溝３４ｂを横設してなることを特徴とする、請求項１記載のノズルカバー付き押下げヘッド容器。
【請求項３】
ノズル挿通孔３４は、上記第１縦溝３４ａの下端部から第２縦溝３４ｃの上端部へ斜行させて斜めの連絡溝３４ｂを形成してなることを特徴とする、請求項１記載のノズルカバー付き押下げヘッド容器。
【請求項４】
上記案内筒２２の外面に、上記ノズル挿通孔３４の第１縦溝３４ａ及び連絡溝３４ｂに対応して案内溝４８を穿設するとともにし、この案内溝４８の内縁に沿って摺動可能な係合凸部５０をカバー筒部材３０の筒壁３２内面に付設し、
案内溝４８の一部の孔面形状を、ノズル挿通孔３４の第１縦溝及び連絡溝部分の孔面形状と上下方向逆向きとして、
押下げヘッド１２に対してカバー筒部材を上下動又は回動操作することで、押下げヘッドに係合凸部５０を案内溝４８の内縁に沿って移動させたときに、上記ノズル１４が上記第１縦溝３４ａ及び連絡溝３４ｂの内部を案内されるように構成し、
さらに上記案内溝４８の連続溝対応部分４８ｂの先部から下方へ縦設する押下げ用溝４９を案内筒外面に形成したことを特徴とする、請求項２又は請求項３に記載のノズルカバー付き押下げヘッド容器。
【請求項５】
上記装着部材１６は、装着筒１８の上端から内向きフランジ状壁２０を介して案内筒２２を起立するとともに、ノズル１４の下方の案内筒部分外面に係止リブ２６を付設し、この係止リブ２６の横巾を第２縦溝３４ｃの巾よりも小さく形成し、
ノズル１４が第１縦溝３４ａの上端部内に位置する状態で上記係止リブ２６がカバー筒部材３０の筒壁下端に接してカバー筒部材３０の押し下げを防止し、かつノズルが第２縦溝３４ｃの上半部内にあるときに、係止リブ２６が第２縦溝３４ｃと周方向同位置にあって、カバー筒部材３０の押し下げが可能となるように構成したことを特徴とする、請求項２から請求項４の何れかに記載のノズルカバー付き押下げヘッド容器。
【発明の詳細な説明】
【技術分野】
【０００１】
本発明は、ノズルカバー付き押下げヘッド容器に関する。
【背景技術】
【０００２】
従来押下げヘッドに付設したノズルを保護し、その押下げを阻止するストッパーとしての機能を付加するために、押下げヘッドからノズルに亘る部分を覆い、かつ着脱自在に嵌合させたカバー部材を有する押下げヘッド容器が提案されている（特許文献１）。
【特許文献１】特開平１１−０４３１６５
【発明の開示】
【発明が解決しようとする課題】
【０００３】
特許文献１の押上げヘッド容器では、カバー部材をノズル付き押下げヘッドに着脱自在に嵌合させていたから、使用の際にカバー部材を取り外した後に、このカバー部材を紛失してしまうおそれがあった。また、子供や高齢者など力の弱い利用者にとっては、押下げヘッドへのカバー部材の嵌合が固すぎると、着脱が容易でないことがあった。
本発明は、ノズル及び押下げヘッドのカバー部材を紛失するおそれがなく、かつ簡単に使用できる、ノズルカバー付き押下げヘッド容器を提供することを目的とする。
【課題を解決するための手段】
【０００４】
第１の手段は、
口頸部４を起立する容器体２と、
上記口頸部４から容器体２内に垂下したシリンダ６と、
シリンダ内から起立するステム１０の上端にノズル１４付き押下げヘッド１２を付設した作動部材８と、
上記口頸部４に嵌合させた装着筒１８の上端から上記ステム１０を囲む案内筒２２を起立する装着部材１６と、
上記押下げヘッド１２の外面を摺動可能に嵌合され、ノズル挿通孔３４を筒壁３２に穿設した有頂のカバー筒部材３０とからなり、
上記ノズル挿通孔３４は、相互に平行な第１縦溝３４ａと第２縦溝３４ｃとこれら両溝を接続する連絡溝３４ｂとで形成し、
第１縦溝３４ａの上端側の縁部分近傍からノズル１４の上面を覆うためのノズルカバー３６を外方突出し、
第２縦溝３４ｃの上端部を少なくとも第２縦溝の下端部より上方に位置させるとともに、第２縦溝３４ｃを第１縦溝３４ａの下端部より下方へ延長して、カバー筒部材３０の筒壁下端へ開口させ、
上記連絡溝３４ｂは、第１縦溝３４ａの下端部から、第１縦溝の下端部の位置以上の第２縦溝部分の何れかに連続させている。
【０００５】
本手段では、カバー筒部材を外さずに押下げヘッドを押下げ操作できるように、カバー筒部材の筒壁に穿設されたノズル挿通孔の構成を提案している。これにより、押下げ操作に伴ってカバー筒部材を紛失することを防止できる。第１縦溝の下端部を、第２縦溝の上端部より高くするとともに、第１縦溝の下端部からこの下端部以上の第２縦溝部分の何れかに連結した構造とすることで、ノズルが第１縦溝の下端部から連絡溝を通って第２縦溝内へ移動するときに、ノズルはカバー筒部材に対して相対的に上昇することになる。換言すればノズルの位置に対してカバー筒部材が下降する。降下したカバー筒部材の頂面を押し下げることができるので、押下げ操作が安定する。これについては後述する。
【０００６】
「ノズル挿通孔」は、カバー筒部材の周壁一半部に形成され、カバー筒部材の昇降・回動をするときのノズルの通り道としての機能を有する。後述の好適な実施形態では、ノズル挿通孔の全体形状を横向き“ユ”字状又は横向き“Ｚ”字状とすることができる。第１縦溝・第２縦溝の「下端部」或いは「上端部」とは、いずれも「ノズル挿通孔」としての下端部及び上端部をいうものとする。すなわち、本願の第１縦溝の下端部等に相当する箇所（連絡溝との結合箇所）からその溝をさらに延長しても、本発明の技術的範囲からは除外されない。当該延長部分は“ノズルの通り路”と無関係であるからである。
【０００７】
第２の手段は、第１の手段を有し、かつ
上記ノズル挿通孔３４は、上記第１縦溝３４ａの下端部から第２縦溝３４ｃの上下方向中間部へ水平な連絡溝３４ｂを横設している。
【０００８】
この種の押下げ容器では、シリンダ内に下端部を嵌挿した作動部材の上部に付設した押下げヘッドからノズルを突出しているので、このノズルに強い力が作用することは好ましくない。そこで本手段では、図１に示すように縦・横の溝部分でノズル挿通孔を構成することを提案している。これにより利用者がカバー筒部材を縦及び横方向に動かせばノズル挿通孔の内縁でノズルに圧迫することなく、カバー筒部材を動かすことができる。本手段の構成では、カバー筒部材を押下げ可能なモードへ移行するときに、ノズルは、第１縦溝上端部→第１縦溝下端部→第２縦溝中間部→第２縦溝上端部→第２縦溝中間部（又は同溝下部）というように移動することになる。
【０００９】
第３の手段は、第１の手段を有し、かつ
ノズル挿通孔３４は、上記第１縦溝３４ａの下端部から第２縦溝３４ｃの上端部へ斜行させて斜めの連絡溝３４ｂを形成してなる。
【００１０】
本手段では、カバー筒部材の押下げ可能モードに移行する際に、第１縦溝下端部から第２縦溝の上端部へノズルが直接移動することができるようにしたものである。
【００１１】
第４の手段は、第２の手段又は第３の手段を有し、かつ
に対応して案内溝４８を穿設するとともにし、この案内溝４８の内縁に沿って摺動可能な係合凸部５０をカバー筒部材３０の筒壁３２内面に付設し、
案内溝４８の一部の孔面形状を、ノズル挿通孔３４の第１縦溝及び連絡溝部分の孔面形状と上下方向逆向きとして、
押下げヘッド１２に対してカバー筒部材を上下動又は回動操作することで、押下げヘッドに係合凸部５０を案内溝４８の内縁に沿って移動させたときに、上記ノズル１４が上記第１縦溝３４ａ及び連絡溝３４ｂの内部を案内されるように構成し、
さらに上記案内溝４８の連続溝対応部分４８ｂの先部から下方へ縦設する押下げ用溝４９を案内筒外面に形成したことを特徴とする。
【００１２】
本手段では、ノズルをノズル挿通孔で移動させる際に、その孔縁にノズルを圧接させてしまうことを防止するための構造を提案している。とくにノズル挿通孔が斜めの溝部分を含む実施態様において有効である。
【００１３】
第５の手段は、第２の手段から第４の手段の何れかを有し、かつ
上記装着部材１６は、装着筒１８の上端から内向きフランジ状壁２０を介して案内筒２２を起立するとともに、ノズル１４の下方の案内筒部分外面に係止リブ２６を付設し、この係止リブ２６の横巾を第２縦溝３４ｃの巾よりも小さく形成し、
ノズル１４が第１縦溝３４ａの上端部内に位置する状態で上記係止リブ２６がカバー筒部材３０の筒壁下端に接してカバー筒部材３０の押し下げを防止し、かつノズルが第２縦溝３４ｃの上半部内にあるときに、係止リブ２６が第２縦溝３４ｃと周方向同位置にあって、カバー筒部材３０の押し下げが可能となるように構成している。
【００１４】
本手段では、押下げヘッド及びカバー筒部材の不意の下降を防止するための係止リブについて提案している。「係止リブ２６が第２縦溝３４ｃと周方向同位置にあって」とは、係止リブ２６が第２縦溝３４ｃ下方又は第２縦溝３４ｃの下半部にあることを意味する。
【発明の効果】
【００１５】
第１の手段に係る発明によれば次の効果を奏する。
○ノズル挿通孔３４内のノズル移動により押下げヘッド１２に対するカバー筒部材３０の昇降を可能とし、押下げヘッドのロック状態と非ロック状態との間の移動を可能としたから、カバー筒部材を取り外す必要がなく、カバー筒部材を紛失するおそれがない。
○カバー筒部材３０は押下げヘッド１２の外面に摺動可能に嵌合されているので、カバー筒外面に固嵌めした場合に比べて少ない力で操作できる。
○連絡溝３４ｂを、第１縦溝３４ａの下端部から第１縦溝の下端部の位置以上の第２縦溝部分の何れかに連結したから、第１縦溝３４ａの下端部と第２縦溝３４ｃの上端部との高低差だけ押下げ操作をするときのカバー筒部材３０の頂面の位置を低くなり、容器が安定する。
【００１６】
第２の手段に係る発明によれば、ノズル挿通孔３４を、第１縦溝３４ａと第２縦溝３４ｃとこれらの間に横設した水平な連絡溝３４ｂとで形成したから、カバー筒部材３０を縦方向及び横方向（周方向）に動かすだけでロック状態と非ロック状態との間を移行することができ、このときノズル挿通孔３４の内縁にノズルが圧接されて無用の力が作用することを防止できる。
【００１７】
第３の手段に係る発明によれば、第１縦溝３４ａの下端部から第２縦溝３４ｃの上端部へ連絡溝３４ｂを斜行させたので、両端部間を横方向→縦方向の順路で移動する場合に比べて操作が簡単である。
【００１８】
第４の手段に係る発明によれば、案内溝４８の内縁に沿って係合凸部５０を移動することで、ノズル１４がノズル挿通孔の第１縦孔３４ａ及び連絡溝３４ｂ内を案内されるようにしたから、ノズル挿通孔のいずれか、特に斜めの連絡溝３４ｂに圧接されることを防止することができる。
【００１９】
第５の手段によれば、ノズルが第１縦溝３４ａ内にあるロック状態で、カバー筒部材３０の筒壁下端に接する係止リブ２６を案内筒２２外面に付設したから、この状態でのカバー筒部材の押下げ防止を確実にすることができる。
【発明を実施するための最良の形態】
【００２０】
図１から図９は本発明の第１の実施形態の押下げ容器を示している。
【００２１】
この容器は、容器体２と、シリンダ６と、作動部材８と、装着部材１６と、カバー筒部材３０とで形成している。
【００２２】
容器体２は、胴部から肩部を介して口頸部４を起立している。
【００２３】
シリンダ６は、上端部に有する鍔部６ａを、口頸部４の上端面に係止させて、容器体２内へ垂下している。
【００２４】
作動部材８は、上記シリンダ６から起立したステム１０の上端部に押下げヘッド１２を付設している。この押下げヘッドの前面からはノズル１４を前方突出している。そしてシリンダ６に対する上記ステム１０の上下動により容器体内から液体を吸い上げ、加圧してステムを介してノズルから噴出するように構成している。
【００２５】
装着筒部材１６は上記口頸部４に螺合させた装着筒１８の上端から内向きフランジ状壁２０を介して案内筒２２を起立している。案内筒の上端部の一部には、押下げヘッド１２の外面と係合する回り止め手段２４を形成している。さらに案内筒の前面には後述のカバー筒部材の裏面と当接する係止リブ２６を設ける。図示例ではさらに内向きフランジ状頂壁を側外方へ延長して外筒を垂下するとともに、この外筒外側に筒体を嵌合している。
【００２６】
カバー筒部材３０は、有頂筒形であって、その頂壁の外周部から、案内筒を下端部で囲む筒壁３２を垂下している。この筒壁には、ノズル挿通孔３４を穿設している。このノズル挿通孔は図３及び図４に示すように第１縦溝３４ａと第２縦溝３４ｃと連絡溝３４ｂとで形成している。第１縦溝３４ａと第２縦溝３４ｃとは相互に平行で適当な距離（図示例では周長の１／４）を存して縦設している。第１縦溝及び第２縦溝の各上端部はほぼ同じ高さに位置している。また第１縦溝３４ａは第２縦溝３４ｃの半分程度の長さである。そして第１縦溝３４ａの下端部から、第２縦溝３４ｃの上下方向中間部へ連絡溝３４ｂを形成している。図３に示すように第２縦溝の上下方向中間部は、第１縦溝の下端と同じ高さにある部分であり、本明細書では、これを第１縦溝下端対応箇所３５というものとする。当該箇所３５よりも上方の第２縦溝部分３４１ｃと、当該箇所よりも下方の第２縦溝部分３４２ｃとは、それぞれ異なる機能を有する。前者３４１ｃは、カバー筒部材３０を図５に示す上限の高さから図１と同じ高さまで下げるときに、ノズルを上限位置まで導くための溝であり、第１縦溝と対応する長さを有する。後者３４２ｃは外部からノズルを第１縦溝へ導くための挿入口である。このノズル孔挿通孔３４は、筒壁外面をパノラマ様に展開したときに図９に示すような形状をしている。さらに第１縦溝３４ａの上端側の縁部分近くからは、半筒形状のノズルカバー３６を突設している。
また、図示例では、図１に示すようにガタツキ防止用の突起３８を筒壁の後壁内面に付設している。さらにカバー筒部材の頂壁裏面の直径方向には図２に想像線で描く如く一対の押下げ凸部４０を付設している。また、案内筒とカバー筒部材の筒壁の適所には抜け出し防止手段を設けるとよい。
【００２７】
上記構成において、図１の状態では、ノズル１４は第１縦溝３４ａの上端部に位置している（図９の位置Ａ）。この状態でカバー筒部材３０の筒壁３２は係止リブ２６の上面に当接させ、押し下げることができないようになっている。図１の状態からカバー筒部材３０を引上げると、ノズル１２は図５に示す如く筒壁３２に対して相対的に下降して、第１縦溝３４ａの下端部へ移動する（図９の位置Ｂ）。さらにカバー筒部材３０を回転させると、案内筒２２との間の回り止め手段２４により、ノズルを含む押下げヘッドは回転することができない。このため、ノズル１２は、相対的に第１縦溝３４ａの下端部から連絡溝３４ｂを通って図７の如く第２縦溝３４ｃの中間部へ移動する（図９の位置Ｃ）。さらにこの状態からカバー筒部材を押し下げると、まずノズルは相対的に上昇して第２縦溝の上端部に移動する（図９の位置Ｄ）。さらにカバー筒部材を押し下げると、ノズル１２は、第２縦溝の上端部内に位置する状態のままでカバー筒部材とともに下降する。このとき係止リブは図８に示すように第２縦溝３４ｃの下部内に入る。これら下降過程において、内容物がノズルから噴出される。
【００２８】
図１０から図１３は、本発明の第２の実施形態を示している。この実施形態において、容器体、押下げヘッドを除く作動部材、シリンダの構造は第１実施形態と同じであるから、説明を省略する。押下げヘッド１２は、図１０に示すように頂壁の内周及び外周からそれぞれ内周壁４２及び外周壁４４を２重筒状に垂下している。内周筒４２はステム１０上端部に嵌合されている。さらに装着筒部材１６は、内向きフランジ状壁の内縁部から、上端部を上記外周壁に係合する係合筒４６を起立し、この係合筒の外側から案内筒２２を起立している。またカバー筒部材の筒壁下部は、図１１に示すように下端を連結した２重筒状の補助筒52で挟持し、かつその内筒に案内筒に対する抜止め用凸部54を付設している。
【００２９】
本実施形態では、図１０のようにノズル挿通孔３４を、第１縦溝３４ａの下端部から第２縦溝３４ｃの上端部まで斜めの連絡溝３４ｂで連続させてなる。
案内筒２２の外面には、案内溝４８と、凸部挿入用溝４７と、押下げ用溝４９とを形成し、カバー筒部材の筒壁には案内溝の内縁と接する係合凸部５０を形成する。図１２及び図１３に示すように、案内溝４８は、第１縦溝対応部分４８ａと連絡溝対応部分４８ｂとで形成され、第１縦溝及び連絡溝を上下反転させた形状を有する。凸部挿入用溝４７は、連絡溝対応部分４８ｂの先端部から案内筒の上端まで延びている。また、押下げ用溝４９は、連絡溝対応部分４８ｂの先端部から下方へ延びている。
第２縦溝３４ｃのうち第１縦溝下端対応箇所３５よりも上方の部分３４１ｃは押下げ用溝４９に対応する。また、当該箇所３５よりも下方の部分３４２ｃは挿入用溝４７に対応している。
【００３０】
このような構成としたから、係合凸部が案内溝内縁をスライドするときに、ノズル１４が第１縦溝３４ａ及び連絡溝３４ｂの各内部を案内されるようにすることができる。
【図面の簡単な説明】
【００３１】
【図１】本発明の第1の実施形態に係る押下げ容器の一部切欠き縦断面図である。
【図２】図１容器の押下げヘッドの上面を切り欠いた平面図である。
【図３】図１容器の一部切欠き側面図である。
【図４】図１容器の一部切欠き正面図である。
【図５】図１容器の押下げヘッド引上げ状態の縦断面図である。
【図６】図５に対応する状態での押下げヘッドの一部切欠き平面図である。
【図７】図５から押下げヘッドを回転させた状態での縦断面図である。
【図８】図７から押下げヘッドを押し下げた状態での縦断面図である。
【図９】図１の容器のカバー筒部材の筒壁外面をパノラマ様に展開した図である。
【図１０】本発明の第２の実施形態に係る押下げ容器の要部縦断面図である。
【図１１】図１０の要部を反対側から見た縦断面図である。
【図１２】図１０容器のカバー筒部材の筒壁外面をパノラマ様に展開した図である。
【図１３】図１０容器の案内筒外面をパノラマ様に展開した図である。
【符号の説明】
【００３２】
２…容器体  ４…口頸部  ６…シリンダ  ６ａ…鍔部  ８…作動部材  １０…ステム
１２…押下げヘッド  １４…ノズル  １６…装着筒部材  １８…装着筒
２０…内向きフランジ状壁  ２２…案内筒  ２４…回り止め手段  
２６…係止リブ  ３０…カバー筒部材  ３２…筒壁  
３４…ノズル挿通溝  ３４ａ…第１縦溝  ３４ｃ…第２縦溝  ３４ｂ…連絡溝
３５…第１縦溝下端対応箇所  
３６…ノズルカバー  ３８…ガタツキ防止用突起  ４０…押下げ凸部
４２…内周壁  ４４…外周壁  ４６…係合筒  ４７…挿入用溝  
４８…案内溝  ４９…押下げ用溝  ５０…係合凸部
５２…挟持筒  54…抜止めリブ
Λ
【図１】
2010052824.tif 000003
【図２】
2010052824.tif 000004
【図３】
2010052824.tif 000005
【図４】
2010052824.tif 000006
【図５】
2010052824.tif 000007
【図６】
2010052824.tif 000008
【図７】
2010052824.tif 000009
【図８】
2010052824.tif 000010
【図９】
2010052824.tif 000011
【図１０】
2010052824.tif 000012
【図１１】
2010052824.tif 000013
【図１２】
2010052824.tif 000014
【図１３】
2010052824.tif 000015
【手続補正書】
【提出日】平成21年5月12日(2009.5.12)
【手続補正１】
【補正対象書類名】特許請求の範囲
【補正対象項目名】請求項１
【補正方法】変更
【補正の内容】
【請求項１】
口頸部４を起立する容器体２と、
上記口頸部４から容器体２内に垂下したシリンダ６と、
シリンダ内から起立するステム１０の上端にノズル１４付き押下げヘッド１２を付設した作動部材８と、
上記口頸部４に嵌合させた装着筒１８の上端から上記ステム１０を囲む案内筒２２を起立する装着部材１６と、
上記押下げヘッド１２の外面を摺動可能に嵌合され、ノズル挿通孔３４を筒壁３２に穿設した有頂のカバー筒部材３０とからなり、
上記ノズル挿通孔３４は、相互に平行な第１縦溝３４ａと第２縦溝３４ｃとこれら両溝を接続する連絡溝３４ｂとで形成し、
第１縦溝３４ａの上端側の縁部分近傍からノズル１４の上面を覆うためのノズルカバー３６を外方突出し、
第２縦溝３４ｃの上端部を少なくとも第１縦溝の下端部より上方に位置させるとともに、第２縦溝３４ｃを第１縦溝３４ａの下端部より下方へ延長して、カバー筒部材３０の筒壁下端へ開口させ、
上記連絡溝３４ｂは、第１縦溝３４ａの下端部から、第１縦溝の下端部の位置以上の第２縦溝部分の何れかに連続させたことを特徴とする、ノズルカバー付き押下げヘッド容器。
【手続補正２】
【補正対象書類名】明細書
【補正対象項目名】０００４
【補正方法】変更
【補正の内容】
【０００４】
第１の手段は、
口頸部４を起立する容器体２と、
上記口頸部４から容器体２内に垂下したシリンダ６と、
シリンダ内から起立するステム１０の上端にノズル１４付き押下げヘッド１２を付設した作動部材８と、
上記口頸部４に嵌合させた装着筒１８の上端から上記ステム１０を囲む案内筒２２を起立する装着部材１６と、
上記押下げヘッド１２の外面を摺動可能に嵌合され、ノズル挿通孔３４を筒壁３２に穿設した有頂のカバー筒部材３０とからなり、
上記ノズル挿通孔３４は、相互に平行な第１縦溝３４ａと第２縦溝３４ｃとこれら両溝を接続する連絡溝３４ｂとで形成し、
第１縦溝３４ａの上端側の縁部分近傍からノズル１４の上面を覆うためのノズルカバー３６を外方突出し、
第２縦溝３４ｃの上端部を少なくとも第１縦溝の下端部より上方に位置させるとともに、第２縦溝３４ｃを第１縦溝３４ａの下端部より下方へ延長して、カバー筒部材３０の筒壁下端へ開口させ、
上記連絡溝３４ｂは、第１縦溝３４ａの下端部から、第１縦溝の下端部の位置以上の第２縦溝部分の何れかに連続させたことを特徴とする。